(57)【要約】【課題】  所有者が、その物品の一部に息を吹きかけること等によって現われる隠しマークを、個人的に、自由に、簡単に設けることができる物品を提供する。【解決手段】  表面にコーティング層が形成されたプラスチック又はガラスからなる物品であって、有機溶剤からなる剥離液を用いて前記コーティング層の一部を除去することによりマークを形成できる。 【選択図】  図１
2007034018.tif 000002
【特許請求の範囲】
【請求項１】
表面にコーティング層が形成されたプラスチック又はガラスからなる物品であって、剥離液を用いて前記コーティング層の一部を除去することによりマークを形成することが可能であり、且つ、該マークが通常の状態ではその存在を認識できないが、温度を変化させることにより識別できることを特徴とする物品。
【請求項２】
前記温度を変化させる手段が、息を吹きかけることである請求項１に記載の物品。
【請求項３】
前記温度を変化させる手段が、冷水と接触させることである請求項１に記載の物品。
【請求項４】
前記コーティング層がシリコン系樹脂又はフッ素系樹脂である請求項１に記載の物品。
【請求項５】
前記コーティング層がシリコン系樹脂又はフッ素系樹脂を含む複数の層からなる請求項１に記載の物品。
【請求項６】
前記剥離液がリン酸又はフッ化アンモニウムを含む有機溶剤である請求項１に記載の物品。
【発明の詳細な説明】
【技術分野】
【０００１】
本発明は、息を吹きかける等して温度を変化させた場合にのみ識別できる隠しマークに関し、自由に図形や文字等の隠しマークを形成できるプラスチック又はガラスからなる物品に関する。
【背景技術】
【０００２】
プラスチック及びガラスは、日常雑貨や装飾品等多くの物品に用いられているが、例えば、眼鏡用レンズ、鏡、コップ、瓶等のようにファッション性が高く、色々なデザインが施される物品も少なくない。
これらの物品に、もしも所有者固有の隠しマークを形成することができれば、多くの便利な用途が考えられる。
【０００３】
例えば、物品の一部に所有者の名前を表す隠しマークを形成しておけば、公共の場所等にその物品を置き忘れた場合でも、その物品の所有者を特定することができる。また、手鏡にオリジナルな隠しマークを形成しておけば、使用時にそのマークを見て楽しむことができる。さらに、オリジナルな隠しマークを形成した物品を他人にプレゼントすれば、受け取った人は、意外性を伴う喜びや感動を受けることが想像される。
【０００４】
この発明の発明者等は、先に隠しマークを有する物品及びその製造方法について特許出願を行った（特許文献１参照。）。
すなわちこの特許文献１には、コーティング層により隠しマークが形成されたプラスチック又はガラスからなる物品が記載されている。そしてこの隠しマークは、通常の状態ではマークの存在を認識できないが、息を吹きかける等、温度を変化させることにより、マークを識別できることが記載されている。
【０００５】
そして、特許文献１には、このような隠しマークを有する物品の製造方法についても記載されている。マーク形成の一例としては、物品の表面にマークを表すマスキング被膜を形成する第１の工程と、コーティング層を形成する第２の工程と、マスキングを除去する第３の工程とを含むものである。しかしながら、このような方法は工程が複雑であり、これを個人的に行うことは非常に困難である。
【０００６】
また別の方法として、物品の表面にコーティング層を形成する第１の工程と、レーザーを照射してコーティング層の一部を除去することによってマークを表すコーティング層を形成する第２の工程とを含むものが記載されている。しかしながら、この方法もレーザーを使用することから、個人的に行える方法ではない。
【特許文献１】特開２００４−３２１９２８号公報
【発明の開示】
【発明が解決しようとする課題】
【０００７】
本発明の目的は、プラスチック又はガラスからなる物品であって、所有者が、その物品の一部に息を吹きかけること等によって現われる隠しマークを、個人的に、自由に、簡単に設けることができる物品を提供することにある。
【課題を解決するための手段】
【０００８】
上記の課題を解決するために、本発明の請求項１に係る発明は、表面にコーティング層が形成されたプラスチック又はガラスからなる物品であって、剥離液を用いて前記コーティング層の一部を除去することによりマークを形成することが可能であり、且つ、該マークが通常の状態ではその存在を認識できないが、温度を変化させることにより識別できるという手段を採用している。
【０００９】
また、本発明の請求項２に係る発明は、請求項１に記載の発明において、前記温度を変化させる手段が息を吹きかけるという手段を採用し、さらに、本発明の請求項３に係る発明は、請求項１に記載の発明において、前記温度を変化させる手段が冷水と接触させるという手段を採用している。
【００１０】
また、本発明の請求項４に係る発明は、請求項１に記載の発明において、前記コーティング層がシリコン系樹脂又はフッ素系樹脂であるという手段を採用し、さらに、本発明の請求項５に係る発明は、請求項１に記載の発明において、前記コーティング層がシリコン系樹脂又はフッ素系樹脂を含む複数の層からなるという手段を採用している。
【００１１】
そして、本発明の請求項６に係る発明は、請求項１に記載の発明において、前記剥離液がリン酸又はフッ化アンモニウムを含む有機溶剤であるという手段を採用している。
【発明の効果】
【００１２】
この発明の発明者等は研究の結果、形成するコーティング層と剥離液の良好な組み合わせを発見した。したがって所有者が、その物品の一部に息を吹きかけること等によって現われる隠しマークを、個人的に、自由に、簡単に設けることが可能な物品を提供することができる。
【発明を実施するための最良の形態】
【００１３】
以下、この発明の実施の形態について図１に基づいて説明する。
この発明は次の（ａ）及び（ｂ）の工程によって製造される物品であり、その所有者が（ｃ）の工程を施すことにより、隠しマークを形成することができる。
（ａ）基材１０を洗浄して表面の汚れを取り除く。
（ｂ）コーティング層１２を形成する。
（ｃ）剥離液を用いてコーティング層１２の一部を除去することにより、マークを表すコーティング層１２を形成する。
【００１４】
本発明の対象となる物品としては、プラスチック又はガラスを使用した日常雑貨、装飾品、文房具などであり、例えば鏡、コップ、花瓶、置物、定規、ペンなどである。基材となるプラスチック又はガラスは透明でも不透明でも良く、また無着色のものでも着色されたものでも良い。
【００１５】
コーティング層の形成は、物品表面の一部に限定されてもよいし、広い部分にわたって形成されてもよい。形成するコーティング層の厚みは、その一部を除去して隠しマークを形成した際に凹凸を感知できない程度に薄いことが必要であり、１００ｎｍ以下が好ましく、特に３０〜８０ｎｍが好ましい。また、通常の状態では、マークの存在を認識できないことが必要であり、基材の一部にコーティング層を形成する場合には、実質的に無色透明であることが好ましい。
【００１６】
コーティング層を形成する材料としては、酸化珪素などの非金属酸化物の他、ジルコニウム、チタン、アルミニウム、セリウム等の金属酸化物又は金属弗化物を用いることができる。また、アルミニウム、ニッケル、クロム等の金属も同様に用いることができる。さらに、シリコン系樹脂又はフッ素系樹脂等の有機物を用いることもできる。
【００１７】
これらの材料は、基材の材質、色彩又は透明性等により適宜選定する。
また、二種以上の材質を用いて、複数のコーティング層を形成することもできる。この場合、図２に示すように、この発明は次の（ａ）及び（ｂ）の工程によって製造される物品であり、その所有者が（ｃ）の工程を施すことにより、隠しマークを形成することができる。
（ａ）基材１０を洗浄して表面の汚れを取り除く。
（ｂ）コーティング層１３、１４、１５を形成する。
（ｃ）剥離液を用いてコーティング層１５の一部を除去することにより、マークを表すコーティング層１５を形成する。
【００１８】
コーティング層を形成する方法は特に限定はしないが、例えば、金属及びその化合物を材料として使用する場合には、これらの材料を真空蒸着することにより形成することができる。真空蒸着法は公知の技術であるために詳しい説明は省略するが、真空ポンプにより真空状態に保持された釜の天井部に物品を配置し、下のテーブルに置かれた上記の材料にレーザー装置からレーザーを照射して蒸発させることができる。蒸発した材料は天井の物品表面に付着してコーティング層が形成される。
【００１９】
また、シリコン系樹脂又はフッ素系樹脂等の有機物を材料として使用する場合には、例えばディップ、吹き付け、スピンコート等の塗着方法により形成することができる。
【００２０】
コーティング層の除去は、剥離液を用いてコーティング層を溶解し、これを拭取って行う。すなわち、金属ペン、フェルトペン、毛筆、刷毛、ゴム製スタンプ等に剥離液を含ませて、コーティング層の上に絵、文字、ロゴ等のマークを描くと、剥離液で濡れた部分のコーティング層が溶解する。溶解したコーティング層を吸い取り紙などで拭取ることによりコーティング層が除去され、所定のマークを表すコーティング層が完成する。
【００２１】
使用する剥離液は、一般的な有機溶剤を使用することができる。特に、コーティング層の材質がシリコン系樹脂又はフッ素系樹脂等の有機物である場合には、リン酸又はフッ化アンモニウムを含む有機溶剤であることが好ましい。
【００２２】
そして、最も好ましい組み合わせは、シリコン系樹脂又はフッ素系樹脂をコーティング層の材質とし、リン酸又はフッ化アンモニウムを含む有機溶剤を剥離液とした場合であり、材料が安価で鮮明なマークが得られるとともに、剥離液が扱い易く、誰でも簡単に好みのマークを形成することができる。
【００２３】
この発明の隠しマークは、コーティング層表面と基材表面との表面張力の違いを利用している。
すなわち、コーティング層表面は基材表面よりも表面張力が大きく、息を吹きかけることでコーティング層表面に付着した水滴は丸くなるが、一方の基材表面に付着した水滴は丸くならずに薄い膜となる。したがって、この違いがマークとなって現われ、マークを識別することができる。
【００２４】
また、隠しマークを形成する物品が容器である場合には、内部に冷水を貯留することでもマークを現して識別することができる。したがって、この発明でいう隠しマークとは、息を吹きかけること及び冷水を貯留することを含めて、温度を変化させることにより識別できるマークということができる。
【図面の簡単な説明】
【００２５】
【図１】図面はこの発明の隠しマークを有する物品の製造方法を示し、  （ａ）は基材を洗浄して表面の汚れを取り除く状態を示し、  （ｂ）はコーティング層を形成した状態を示し、  （ｃ）は剥離液を用いてコーティング層の一部を除去し、マークを表すコーティング層を形成した状態を示す。
【図２】図面はこの発明の隠しマークを有する物品の他の製造方法を示し、  （ａ）は基材を洗浄して表面の汚れを取り除く状態を示し、  （ｂ）は多層のコーティング層を形成した状態を示し、  （ｃ）は剥離液を用いてトップコーティング層の一部を除去し、マークを表すコーティング層を形成した状態を示す。
【符号の説明】
【００２６】
１０  基材
１２、１３、１４、１５  コーティング層
【図１】
2007034018.tif 000003
【図２】
2007034018.tif 000004